(57)【要約】【課題】  本発明は皮膚又は髪の外観の少なくとも１つの特性を評価する携帯式装置（１０’）を提供する。【解決手段】  本装置は皮膚又は髪の領域を直接観察することが可能で検査対象域（ｚ）の倍率又は内蔵式光源の強度以外の要素が異なる少なくとも２つの画像を生成できる。【選択図】      図５
2007075637.tif 000002
【特許請求の範囲】
【請求項１】
皮膚又は体毛の外観の少なくとも１つの特性の観察を可能にする可搬式装置において、皮膚又は体毛の区域を直接観察することを可能にし、検査区域の少なくとも２つの画像の発生を可能にする手段を備え、それらの画像が倍率又は組込光源の強さ以外の点で異なることを特徴とする装置。
【請求項２】
倍率又は組込光源の強さ以外の特性を変化させることができる装置の部材に２つの観察の間に作用することによって前記画像を連続して発生させることができるように配置されていることを特徴とする請求項１に記載の装置。
【請求項３】
前記画像が同時に発生できるように配置され、観察中の区域の２つの異なる画像を同時に生成することができる光学要素を備えて配置されることを特徴とする請求項１に記載の装置。
【請求項４】
前記画像が偏光分析器の偏光方向の配向が異なるように配置されたことを特徴とする請求項１に記載の装置。
【請求項５】
前記画像が入射光内の指向性の等級によって異なるように配置されたことを特徴とする請求項１に記載の装置。
【請求項６】
前記画像が入射光の入射方向によって異なるように配置されたことを特徴とする請求項１に記載の装置。
【請求項７】
前記画像が入射光の色彩が異なるように配置されたことを特徴とする請求項１に記載の装置。
【請求項８】
前記画像が検査区域に印加された圧力によって異なるように配置されたことを特徴とする請求項１に記載の装置。
【請求項９】
前記画像が検査区域から来る光の濾光によって異なるように配置されたことを特徴とする請求項６に記載の装置。
【請求項１０】
検査区域の拡大画像を生成するように配置された光学系（２０’、４１’；４４，４６；１２１）を有することを特徴とする請求項１〜９のいずれか一項に記載の装置。
【請求項１１】
検査区域に拡散光照射を当てることができるように配置されたことを特徴とする請求項１〜１０のいずれか一項に記載の装置。
【請求項１２】
検査区域に指向性光照射を当てることができるように配置されたことを特徴とする請求項１〜１１のいずれか一項に記載の装置。
【請求項１３】
検査区域にグレージング光を当てることができるように配置されたことを特徴とする請求項１〜１２のいずれか一項に記載の装置。
【請求項１４】
検査区域に透照法による光照射を当てることができるように光源と検査区域の間に介在させるのに適した少なくとも１つのスクリーン（２７；２７’；４８）を有することを特徴とする請求項１〜１３のいずれか一項に記載の装置。
【請求項１５】
スクリーンが可動式であって、検査区域を囲繞する表面から離れた第１の位置から前記表面と接触する第２の位置まで移動することができることを特徴とする請求項１４に記載の装置。
【請求項１６】
スクリーンを移動し、検査区域をグレージング光によって光照射することを可能にする位置に移行させることを特徴とする請求項１４又は請求項１５に記載の装置。
【請求項１７】
スクリーンが、使用中に、検査区域の周囲に延長する管状壁（２７；２７’；４８）を有することを特徴とする請求項１４〜１６のいずれか一項に記載の装置。
【請求項１８】
スクリーンが検査区域に向かって集束する円錐又は四角錐形状の部分（２７）を有することを特徴とする請求項１７に記載の装置。
【請求項１９】
スクリーン（２７；２７’）が可動式である請求項１４〜１８のいずれか一項に記載の装置において、非使用時にスクリーンを静止位置に向かって付勢する少なくとも１つのバネ（１５；１５’）を有することを特徴とする装置。
【請求項２０】
少なくとも１つの色フィルタ（４６）を有することを特徴とする請求項１〜１９のいずれか一項に記載の装置。
【請求項２１】
フィルタ（４６）が青色であることを特徴とする請求項１８に記載の装置。
【請求項２２】
少なくとも１つの偏光器（２３’；２４’；１３１）を有することを特徴とする請求項１〜２１のいずれか一項に記載の装置。
【請求項２３】
光源と検査区域（Ｚ）の間の光路に置かれた少なくとも１つの偏光器（２３’；１３１）を有することを特徴とする請求項２２に記載の装置。
【請求項２４】
検査区域と観察者の眼の間の光路に置かれた少なくとも１つの偏光器（２４’；２５’）を有することを特徴とする請求項２２又は２３に記載の装置。
【請求項２５】
検査区域と観察者の眼の間の光路に並べて、置かれた方向が異なる少なくとも２つの偏光器（２４’；２５’）を有することを特徴とする請求項１〜２４のいずれか一項に記載の装置。
【請求項２６】
使用者が基準方向に対するその相対的偏光方向を変えることができるように少なくとも１つの旋回自在に取り付けられた偏光器を有することを特徴とする請求項１〜２５のいずれか一項に記載の装置。
【請求項２７】
検査区域を自然光で照射できるように配置したことを特徴とする請求項１〜２６のいずれか一項に記載の装置。
【請求項２８】
透明プラスチック製のスカート（４２）を備え、裾部が検査区域の周囲に延長するのに適した縁部を有することを特徴とする請求項２７に記載の装置。
【請求項２９】
少なくとも１つの組込光源（１７；１７’；１２２）を備えることを特徴とする請求項１〜２６のいずれか一項に記載の装置。
【請求項３０】
組込光源が下記のものすなわち白熱灯、発光ダイオード、蛍光灯から選択した少なくとも１つの発光素子を備えていることを特徴とする請求項２９に記載の装置。
【請求項３１】
光学器具がそれぞれの異なる波長範囲で発光する発光素子を備えることを特徴とする請求項３０に記載の装置。
【請求項３２】
光学器具が、複数の発光素子と、前記発光素子（１７；１７’）の少なくとも一部に選択的に通電することを可能にする制御手段（３１）とを備えることを特徴とする請求項２９〜３１のいずれか一項に記載の装置。
【請求項３３】
光学器具が円形に配置された発光素子（１７；１７’；１３０）を備えることを特徴とする請求項２９〜３２のいずれか一項に記載の装置。
【請求項３４】
光学器具が１つ又は複数の電池（１４）を受納するためのハウジング（１３）を備えることを特徴とする請求項２９〜３３のいずれか一項に記載の装置。
【請求項３５】
ハウジングが、検査区域を観察するための観察方向（Ｘ）にほぼ垂直な軸を有することを特徴とする請求項３４に記載の装置。
【請求項３６】
光学器具が検査区域内の皮膚を圧迫して、そこから血液を排出させることができるパネル３５）を備えることを特徴とする請求項１〜３５のいずれか一項に記載の装置。
【請求項３７】
前記パネルが取り外し自在な付属品を構成することを特徴とする請求項３６に記載の装置。
【請求項３８】
複数の基準画像（６０；７０；８０）を含む図表に組み合わされていることを請求項１〜３７のいずれか一項に記載の装置。
【請求項３９】
基準画像（９０）の表示を可能にするコンピュータ（１１０）と組み合わされていることを特徴とする請求項１〜３１のいずれか一項に記載の装置。
【請求項４０】
十字線（４６）を有することを特徴とする請求項１〜３９のいずれか一項に記載の装置。
【請求項４１】
皮膚を皺にするか伸ばすための用具（１４０）を備えることを特徴とする請求項１〜４０のいずれか一項に記載の装置。
【請求項４２】
身体類型学的特性の等級を評価するための方法において、
・請求項１〜４１のいずれか一項に記載の装置（１０；１０’；４０；１２０）によって皮膚又は体毛を観察するステップ
を含むことを特徴とする方法。
【請求項４３】
さらに
・観察した画像と基準画像（６０；７０；８０；９０）を比較するステップと、
・ある基準画像を選択するステップと
を含むことを特徴とする請求項４２に記載の方法。
【請求項４４】
検査区域を偏光した光で照射し、それを偏光分析器で観察して、反射成分と後方散乱成分の両方を含む光と主に後方散乱成分だけを含む光の間のコントラストが観察されることを特徴とする請求項４３に記載の方法。
【請求項４５】
基準画像（９０）がコンピュータ（１１０）の画面に表示されることを特徴とする請求項４３又は４４に記載の方法。
【請求項４６】
前記画面上に表示するのに先立ってコンピュータネットワーク上で基準画像（９０）がサーバー（１００）からコンピュータに伝送されることを特徴とする請求項４５に記載の方法。
【請求項４７】
さらに選択された基準画像の代表的な表示をサーバー（１００）に伝送することから成るステップを含むことを特徴とする請求項４３〜４６のいずれか一項に記載の方法。
【請求項４８】
下記のタイプ
i）拡散光照射下での観察；
ii）斜光の下での観察；
iii）指向性光照射の下での観察；
iv）透照法による観察；
v）非交差偏光器を用いる偏光の下での観察；
vi）交差偏光器を用いる偏光の下での観察；
vii）皮膚を圧迫しながらの観察；
viii）皮膚を圧迫しない観察；
ix）皮膚を伸ばしながらの観察；
x）皮膚を伸ばさない観察；
xi）皮膚に皺をよせながらの観察；
xii）皮膚に皺をよせない観察；
から選択された少なくとも２つのタイプの観察を実施するために同一の装置が連続して、又は同時に使用されることを特徴とする請求項４２〜４７のいずれか一項に記載の方法。
【請求項４９】
身体類型学的の特性が評価されること、処置、特に前記特性に効果を有する様な美容処置が実施されること、及び前記特性の変化を検出して処置の有効性を決定するために新たに評価を行うことを特徴とする請求項４２〜４９のいずれか一項に記載の方法。
【請求項５０】
観察が透照法によってなされ、光拡散が見えなくなる距離が測定されることを特徴とする請求項４２〜４９のいずれか一項に記載の方法。
【請求項５１】
皮膚に当てるための２つの部分（１４１，１４２）を備え、皮膚の上に置かれ、２つの部分が一緒に閉じられる位置と、皮膚が伸ばされ、２つの部分が離隔される位置の間で互いにそれらを相対的に移動させることを可能にする接続部によって前記部分が一緒に接続され、接続部が２つの部分を互いに離隔するように付勢する少なくともひとつの弾性部材を備えることを特徴とする皮膚を評価するための用具（１４０）。
【発明の詳細な説明】
【技術分野】
【０００１】
本発明は、特に光沢、色、皮膚の凹凸など身体の類型的特性の評価に関する。
【背景技術】
【０００２】
正確な観察を可能にする拡大システムや内蔵式光照射手段を有する皮膚鏡は存在する。しかしそうした皮膚鏡は観察対象域の単なる拡大以上の画像を得られるように設計されたものではない。さらに皮膚鏡ごとに光照射特性は変動しやすい。これは皮膚の欠陥を観察する場合に大した意味をもたないが、例えば輝度、色など身体の類型的特性の評価を行うことが目的の場合は満足のいかない点である。
【発明の開示】
【発明が解決しようとする課題】
【０００３】
ビデオカメラその他の電子的センサーを使った複合システムも存在する。米国特許5 377 000号に対応する欧州特許出願EP-A-0 655 211に記載される通りである。これらのシステムは比較的高価であるためというような広範囲の販売（全ての製品販売箇所における使用あるいは万人による評価実施）には不適当である。
【０００４】
従って肌の色や髪色など光沢と色特性を含む皮膚又は髪の少なくとも１つの特性を評価でき、それほど高価でなく、使いやすい装置の必要が生じる。
【０００５】
こうした観点の１つに基づき本発明は特に上記必要性を満たそうとするものである。
【課題を解決するための手段】
【０００６】
本発明は特に皮膚及び／又は髪など身体の少なくとも１つの類型的特性を評価することが可能な新たな携帯式観察装置によって上記問題を解決する。この装置は本発明の趣旨の１つに鑑みて皮膚又は髪の領域を直接観察することができ検査対象領域の２カ所以上の画像を得られる手段を有することが特徴である。こうした画像は単に倍率や内蔵式光源の強度だけが異なるのではない。
【０００７】
前記画像は同時又は連続的に互いに比較できるように生成してもよい。
【０００８】
前記画像は倍率又は光源強度以外の特性を変化させうる装置部分で２つの画像を連続的に処理することにより生成してもよい。
【０００９】
観察対象域の２つの異なる画像を同時に生成することのできる光学部品を装置に配した場合、画像を同時に生成してもよい。
【００１０】
例えば前記画像は偏光器の偏光方向、入射光線の指向性の等級、光線の色、検査対象域から入射する光のフィルタリング、特に検査対象域に対する機械的作用（圧力、屈曲、伸張）などが異なってもよい。
【００１１】
前記画像は任意的に検査対象域の経時的変化を追跡するように生成することもできる。
【００１２】
観察装置はある時点で倍率又は光源強度以外の要素が異なる２個以上の皮膚領域画像を生成し、次に１ヶ月後の倍率又は光源強度以外の要素が異なる２個以上の皮膚領域画像を生成することによって皮膚領域が経時的に変化する様子を追跡することができる。
【００１３】
本発明の装置は直接の観察が可能である。すなわち写真、ビデオその他の電子的撮影方法によって画像を得るのでなく観察装置による検査対象域の観察が可能である。その生成コストは広く普及している市販品と同等である。
【００１４】
さらにあらかじめ設定した光照射状態で観察を実施できるので正確かつ再現性の高い方法で特性を定量化することができる。
【００１５】
特定の実施の形態では、装置には検査対象域の拡大画像を生成する光学システムが含まれる。これにより落屑などのような肉眼では観察が困難な皮膚特性を観察できるようになる。
【００１６】
さらに特定の実施の形態では、装置を少なくとも１箇所の検査対象域の反射を減少又は除去するように配置することが可能である。これにより乱反射が少なくなるため皮膚又は髪の色を観察することが容易になる。反射を減少又は除去することは皮膚又は髪の深層から発生する後方散乱光を観察する上でも有効である。後方散乱光の色はこれらの層の状態によって異なる。特に反射成分と後方散乱光の両者を含む光線と後方散乱光だけを含む光線との対比を観察することは利益がある。すなわちこれは偏光によって検査対象域を光照射し偏光分析器で観察することである。分析器には１台又は異なる偏光方向を持つ２台の偏光器が必要である。うち１台は入射光の偏光方向に対して垂直とし他方は鉛直とすることができる。
【００１７】
特定の実施の形態では、検査対象域は異なる傾斜角の入射光により光照射を行う光照射手段により光照射してもよい。それは例えば散光やグレージング（かすめ）光下で観察することを可能にするためである。
【００１８】
こうして様々な観察状態を利用するため例えば２つの画像の差を強調することによってある種の外観特性を評価することが容易になる。
【００１９】
グレージング光から凹凸に関する情報を得ることができ、他方、散光光照射から色の同一性に関する情報を得ることができよう。
【００２０】
特定の実施の形態では、装置は光源と検査対象域との間に設置するのに適当な少なくとも１つのスクリーンを有する。これはスクリーン下方の検査対象組織内で拡散する光線で前記領域を光照射するためである。このスクリーンは検査対象域近傍面から離れた場所にある第１位置と前記表面と接する第２位置との間で移動するような可動式でもよい。これにより透光により皮膚又は髪を観察できる。すなわち近傍領域から発生する光で皮膚又は髪領域を光照射することによってである。すると皮膚又は髪は光導波路となり特に透明性に関する情報を得ることができるようになる。必要に応じてこの情報を異なる光照射状態による事前の観察から得られた他の情報と組み合わせることができる。
【００２１】
検査対象域をグレージング光で光照射しうる位置にこのスクリーンを設置してもよい。スクリーンは使用時、検査対象域周囲に延長する管状壁を有してもよい。スクリーンは非円形断面を有してもよく、検査対象域をカバーする円錐形又はピラミッド型の部分を有してもよい。装置はスクリーンを使用していない時には休止位置に移動させる少なくとも１つのスプリングを有してもよい。
【００２２】
装置は特に透光による場合に光線拡散が視認できなくなる距離を測定するための十字線を有してもよい。
【００２３】
特定の実施の形態では、本装置は皮膚色素沈着を明らかにする少なくとも１つのカラーフィルタを有してもよい。このフィルタは皮膚色素沈着を明らかにするために青であってもよい。
【００２４】
特定の実施の形態では本装置は少なくとも１つの偏光器を有してもよい。この偏光器は光源と検査対象域との間の光路に設置してもよい。本装置は検査対象域と観察者の眼との間の光路に少なくとも一つの偏光器を有してもよい。本装置は検査対象域と観察者の眼との間に異なる方向性で設置された２個以上の並置偏光器を有してもよい。これにより画像の２領域の対比を観察することが可能になり人間の眼の対比に対する比較的高い感受性を利用することができる。装置は使用者が偏光方向の向きを変えることができるように回転可能に設置された少なくとも１つの偏光器を有してもよい。こうした状況下で装置は例えば刻み付きノブのようなアクチュエータ部分を含むハンドルを有してもよい。これにより例えばハンドルを把持する手で同時に偏光器の方向を変えることができる。
【００２５】
装置は検査対象域を自然光で光照射するように配置することができる。特に装置は検査対象域周辺に端縁を有する透明プラスチック材料のスカートを有してもよい。
【００２６】
本装置は少なくとも１つの内蔵式光源を有してもよい。内蔵式光源は白熱電灯、発光ダイオード（ＬＥＤ）、蛍光灯から選択した少なくとも１つの発光素子を含んでもよい。本装置はそれぞれ異なる波長幅で発光する発光素子を有してもよい。例えば装置は自然光のスペクトル特性を再現する光源を有し、場合によっては発光ダイオードを有してもよい。装置は少なくとも発光手段の一部に選択的に電力を供給できる制御手段を備えた複数の発光手段を有してもよい。本装置は円状に配置された発光素子を備えてもよい。
【００２７】
本装置は１個又は複数の電池を格納するハウジングを備えてもよい。こうしたハウジングは試験領域の観察のための観察方向に対してほとんど垂直な軸を備えてもよい。
【００２８】
本装置は領域内の皮膚を圧迫し血液を押しやることのできるパネル（pane）を備えてもよい。こうしたパネルはガラス又は透明プラスチックであってもよく任意的に着色してもよい。こうしたパネルは動作位置（パネルが皮膚と光路との間に存在する）と非動作位置（パネルが観察者に向かう光路には存在しない）との間で可動する着脱可能なアクセサリーであってもよく装置に永久的に固定された一部でもよい。
【００２９】
本装置はカメラを装着するためのリングを備えてもよい。
特定の実施の形態では装置は複数の基準画像を含む図表と関係づけられている。これらの画像は単一の媒体に保存してもよく互いに接続してもよい。各画像はそれぞれアルファベット記号と関連づけてもよい。
【００３０】
本装置は基準画像を表示できるコンピュータと関連づけてもよい。
観察装置は皮膚を屈曲又は伸張する用具を備えたり用具と組み合わせたりして使ってもよい。
【００３１】
例としてはこうして用具は皮膚を屈曲したり伸張したりするために互いに離隔又は接触し皮膚を圧迫できる２つの部分を備えてもよい。
【００３２】
皮膚を圧迫する用具各部は皮膚に接着するための両面テープを有してもよい。
用具は観察装置に固定してもよい。
【００３３】
観察装置で観察した複数の画像間の少なくとも１個の差異は皮膚の屈曲、伸張の等級であってもよい。
【００３４】
皮膚を屈曲、伸張する用具は観察装置と独立して使用してもよい。
【００３５】
こうして本発明は上に定義した観察装置から独立した皮膚評価用具を提供する。この用具は皮膚を評価するものであり皮膚を圧迫する２つの部分からなり接続部によって相互に接続される。こうして皮膚上で用具の二部材が接触する位置と用具の二部材が離隔する位置（皮膚が伸張され少なくとも１つの弾性部分を有する接続部が二部材を離隔する）との間でお互いの位置関係を変えることができる。
【００３６】
こうして二部材は互いに弾性部分の動きに抗して動かすことができ皮膚の上に置き解放することができる。次に弾性部分で二部材を強制的に離隔してもよく使用者が手で離隔させてもよい。
【００３７】
二部材の接続は使用者があらかじめ設定した距離でそれらを離隔するよう構成してもよい。例えば接続部は二部材の最大距離を決める少なくとも１個のアバットメントを備えてもよい。最大距離に到達させる際の二部材の移動中にクリック点が生じるように接続部を構成してもよい。例えば接続部は最大距離に到達した時にロックされる少なくとも１つのロッキング部分を有してもよい。
【００３８】
一例として用具を上方から見た際、二部材のおのおのは二部材が互いの位置に相関して動く方向とは垂直な方向に一般にＵ字型であってもよい。
【００３９】
二部材は二本のロッドで相互に接続してもよい。一本のロッドは二部材の１つと固定されており他方のロッドは他方の部材と固定されている。一部材と固定されたロッドはそれぞれ他部材のハウジングに滑入することができる。ハウジングはＵ型のリムの一つを通過してもよい。
【００４０】
二部材は接触位置に有るとき両者間に皮膚を観察する窓を形成するように構成してもよい。二部材がそれぞれＵ型である時この窓はＵ型の凹部によって形成される。
【００４１】
印象を取る適切な材料、例えば蝋やレジンを用具の二部材が例えば伸張状態又は非伸張状態にあるときに注入し例えば伸張状態や非伸張状態の皮膚の外見を連続的時間間隔で比較しよもよい。
【００４２】
伸張用具は弾性部分のみの駆動力によって皮膚に押しつけられた時、二部材間の間隔を測定するように構成してもよい。二部材間の距離の大小は皮膚の余裕の大小で決めてもよい。二部材間の接続部に前記ロッドが含まれる場合は前記ロッドのうち１つは使用者が二部間の間隔を測定するように目盛を施してもよい。
【００４３】
本発明はまた上述の伸張用具の使用方法を提供する。
【００４４】
この方法には以下のステップがある。
２つのアプリケータ部分間の間隔を調整できるように接続部で相互に接続されたアプリケータを有する用具を皮膚上に置く。前記二部材は互いに対して平行移動する。例えば前記二部材のおのおのは好ましくは両面粘着テープで皮膚に固定される。前記部分は皮膚上に置かれ接触位置にある。そして二部材間にある皮膚領域を伸張するように二部材を動かす。
【００４５】
二部材は例えば少なくとも一つの弾性部分のみによって離隔してもよく及び／又は使用者が離隔させてもよい。
【００４６】
皮膚を観察している間、二部材は所定の間隔に維持される。
【００４７】
本発明は身体類型的特性の等級の評価方法を提供する。この方法は下記ステップを有することが特徴である。
【００４８】
上述の観察装置によって皮膚又は体毛を観察する。
【００４９】
観察した画像を基準画像と比較し基準画像を選択してもよい。
【００５０】
本方法の特定の実施の形態では検査対象域を偏光で光照射しそれを偏光分析器で観察することによって反射部分と後方散乱部分の両者を持つ光線と後方散乱部分だけを持つ光線との間の対比を観察する。
【００５１】
上述の基準画像をコンピュータスクリーンに表示してもよい。
【００５２】
特に基準画像は前記スクリーンに表示する前にコンピュータネットワークを介してサーバーからコンピュータに転送してもよい。
【００５３】
本方法はさらに選択した基準画像を示す記号をサーバーに転送するステップを有してもよい。次にサーバーは例えば診断を確立したり化粧品やケア製品を推奨したりできるようにプログラムされてもよい。
【００５４】
本発明の特定の実施の形態においては身体類型特性が評価され、治療が実施され、特に前記特性に適当な効果を与える化粧法が実施される。次に新たな評価を実施して前記特性の変化を検知し治療効果を判定する。
【００５５】
上述のように同一の観察装置を使って連続的又は同時に下記項目から選択した少なくとも二種類の観察を実施できる。
ｉ）拡散光照射下の観察
ｉｉ）グレージング光下の観察
ｉｉｉ）指向性光照射下の観察
ｉｖ）透光による観察
ｖ）非交差偏光器を使った偏光下の観察
ｖｉ）交差偏光器を使った偏光下の観察
ｖｉｉ）皮膚圧迫下での観察
ｖｉｉｉ）皮膚を圧迫せずに観察
ｉｘ）皮膚伸張下の観察
ｘ）皮膚を伸張せずに観察
ｘｉ）皮膚を屈曲させて観察
ｘｉｉ）皮膚を屈曲させることなく観察
選択する観察のタイプは特にｉ）及びｉｉ）、ｖ）及びｖｉ）、ｖｉｉ）及びｖｉｉｉ）、ｉｘ）及びｘ）、ｘｉ）及びｘｉｉ）である。
ｉｘ）及びｘ）又はｘｉ）及びｘｉｉ）による観察を実施する場合、その方法には皮膚領域の観察に先立って上述の皮膚伸張又は屈曲用具を使用して皮膚領域を伸張、屈曲するステップを含んでもよい。
もう１つの特徴に従えば本発明は身体類型特性の等級の評価方法を提供する。この方法は以下のステップを有する。
皮膚伸張又は屈曲用具を皮膚に当てる，
伸張又は屈曲に先立ち当該皮膚領域の印象を取る，
皮膚領域を伸張又は屈曲する，
皮膚領域の印象を取る，
こうして得られた印象を上述の観察装置で観察する。
【発明を実施するための最良の形態】
【００５６】
図１から図４に示す光学器具１０は皮膚又は髪Ｐを観察するためのものである。これには観察する面に設置するための支持部１１が含まれる。可動アセンブリ１２は支持部１１に対してＸ軸に沿って動かすことができる。ハンドル１３は支持部１１付近に固定されている。さらにオプションで一個又は複数の充電可能電池１４を有する。
【実施例】
【００５７】
弾性復帰システムは図１のように停止位置に向かって強制的にアセンブリを移動させる支持部１１と可動部品１２との間で動作し、ここでアセンブリ１２はハンドル１３に押しつけられる。表示例ではこの復帰システムは圧縮されて機能しそれぞれが支持部１１の肩部に対するエンドベアリングとアセンブリ１２に対する逆側のエンドベアリングを含む複数のスプリング１５を有する。
【００５８】
図２のようにアセンブリはＸ軸の周囲に配列された白色発光ダイオードを特徴とする例における構成要素であるすべての発光体に電源を投入した場合に検査対象域ｚの拡散光照射を行ったり、一部の発光体のみに電力を供給して１個又は複数の特定の方向の光照射を行ったりするための複数の発光体１７を有する。発光体１７はバッテリー１４から電源供給回路３０を通じて電源を供給される。電源供給回路３０は図を分かりやすくするために大幅に省略してある。電源供給回路３０は制御回路３１に接続してある。
【００５９】
観察は可動部品１２のチューブ１８から実施する。
【００６０】
光学部品２３は発光体１７と検査対象域ｚとの間の光路に置かれる。記載例ではこの光学部品２３は着色又は非着色の半透明環状片からなり拡散器をなす。
【００６１】
チューブ１８はスクリーン２７によって下方に延長する。スクリーン２７の自由縁は観察領域を決定する。
【００６２】
光学器具１０は異なる光照射条件下で連続的に同一面を観察できる。
【００６３】
図１の構成では検査対象域ｚはすべての発光体１７を使い拡散及び全方向性光照射が可能である。
【００６４】
図３に示すように、アセンブリ１２は支持部１１に対して動かすことができるのでスクリーン２７は検査対象域ｚに向かって動かすことができる。図３では使用者が復帰スプリング１５の挙動に抗してアセンブリ１２に対して十分な圧力を下方に加えることによってスクリーン２７の底辺２８が移動した状況が見て取れる。これにより検査対象域ｚは皮膚又は髪の凹凸をより明瞭に際だたせ輝度を増すことのできるグレージング光で光照射することができる。
【００６５】
また図４に示すように、使用者はスクリーン２７を皮膚又は髪表面に接触させるためアセンブリ１２に十分な圧力を加えることもできる。こうした状況では検査対象域ｚは透光によってのみ光照射される。すなわち観察する組織全体に広がる光である。こうして例えば透明性、色、血液が循環する範囲などの情報を得ることができる。各種観察間で発光体１７に供給される電力は一定にすることができる。
【００６６】
制御回路３１は発光体１７すべてに電力の供給を断続する電気的スイッチだけで構成することもでき、また例えば静止又は回転する指向性光照射や多方向光照射が可能となるように選択的に発光体１７の一部だけに電力を供給したり、検査対象域を光照射する光の発光体が異なる色のＬＥＤであったり様々な波長の光を発光したりする場合には検査対象域のスペクトル特性を変えることができるような複雑な回路で構成してもよい。
【００６７】
本発明によれば、図１，図３，図４に示すような検査対象域の様々な観察構成において倍率や内蔵式光源の強度以外の少なくとも１つの観察特性を変更出来る。
【００６８】
図５から図７は上記器具１０の変形である光学器具１０’を示す。この変形例では装置１０’は固定された本体１６と観察対象域ｚに適用される光照射条件を変えるために本体１６’に対してｘ軸に沿って可動するスクリーン２７’からなる。例えば図６のように多方向拡散とグレージング光を切り替えることを目的とした場合や図７のように透光で光照射することを目的とした場合が考えられる。
【００６９】
図８に示す偏光器２３’は発光体１７’から観察対象域ｚまでの光路に設置される。この偏光器２３’は環状であり図８の矢印のように単一方向に偏光できる。
【００７０】
発光体１７’を装着した本体１６’のスロット１３’を通って装置から突出したタブ３０’を使って移動できるレンズ２０’、２１’、偏光器２４’、２５’を支持するチューブ１８’上のスライドにスクリーン２７’は装着される。発光体は前述アセンブリの発光体１７’と同様に配置される。装置１０’の利点はスクリーン２７’を移動して光照射構成を変える時に検査対象域とレンズ２０’と２１’の距離が変わらないことである。
【００７１】
今検討している例では２つの偏光器２４’、２５’はそれぞれ半円形である。２つの半円形のディスクはそれらの底部によって互いに接合され１個のディスクを形成し偏光分析を行う。このディスクはチューブ１８’内の光路のレンズ２０’の画像焦点面に設置される。偏光器２４’、２５’の偏光方向は互いに垂直であり図９に矢印で表される。
【００７２】
半ディスク２４’、２５’のうち１つの偏光方向を偏光器２３’の偏光方向と平行になるよう選択することによって偏光器２４’、２５’からなる偏光分析器から輝度を有する半画像と輝度を有しない別の半画像が得られる。
【００７３】
適当であればｘ軸を中心に回転するように設置された一個の偏光器で偏光器２４’、２５’を置き換えてもよい。これは第一にその偏光方向を入射光の偏光方向と一致させるためであり第二にその偏光方向を偏光器２３’の偏光方向に対して垂直に連続的に延長するためである。
【００７４】
しかし２つの偏光分析器２４’、２５’によって対比のある画像を得ることが可能である。こうして対比に対する高い感受性を持つ人間の眼を利用することができる。
【００７５】
図１０の装置２０’に見られるように各装置１０又は１０’はパネル３５を支持しそれを通じて観察を行う。このパネル３５はプラスチック製でもよく装置の定位置に装着するために例えばリム３６を有してもよい。ここで検討している例ではパネル３５は着脱可能な付属品であるが前記パネルを格納式とし格納位置で本機に固定すれば本発明の範囲を超えるものではない。本機に固定した状態ではパネル３５は皮膚を圧迫しその部分の血液を押しのける。こうして皮膚色に血液色が侵入するのを防止しながら皮膚の観察が可能になる。様々なタイプの光照射と偏光によりパネル３５を使わずに一連の観察を実行しパネル３５を装着して別の一連の観察を実行し結果を比較し有効な情報を抽出することも可能である。
【００７６】
前述の装置１０、１０’と比較して、図１１、図１３及び図１４にはいかなる組み込み光照射ももたないという特定の特徴をもつ装置４０を示している。
【００７７】
装置４０は透明スカート４２により下方に延長する本体４１からなる。
【００７８】
本体４１はチューブ４５が支持し本体４１に留め金で固定されるレンズ４３と４４からなる光学アセンブリの支持部として機能する。また光学アセンブリは検査対象域の距離を測定するための十字線４６を有する。十字線を示す図１２による例では十字線は検査対象域から入射する光路に設置したガラス板４７に印刷されている。
【００７９】
カラーフィルタ４６は本体４１に着脱可能に装着されている。提示例では必要に応じて染色部分を強調するためにフィルタはブルーとなっている。
【００８０】
不透明リング４８で構成されるスクリーンは本体４１と透明スカート４２にリング４８が透明スカート４２を覆わない完全格納位置（図１１）、リング４８が透明スカート４２の大部分を覆ってグレージング光だけが検査位置に当たるようにした中間位置（図１３）、リング４８が完全に降下しリング４８が透明スカート４２の全体を覆い透光で光照射できる位置（図１４）の間をスライド可能に装着されている。提示例においては上記各構成においてスカート４８を固定するために突起４９及び５０が本体４１と透明スカート４２上に形成されている。
【００８１】
検査対象域を透光で観察する場合、観察者は十字線を使用して光線拡散が見えなくなるまでの距離を測定し皮膚の透明度に関する情報を得ることができる。
【００８２】
図１５は本発明に従って作製した観察装置１２０による別の例を示す。
【００８３】
装置１２０は光源１２２、エンドピース１２３、光学アセンブリ１２１からなる。
【００８４】
光源１２２は一個又は複数の充電可能なオプションのバッテリーを格納するハウジングを形成するハンドル１２４、光学アセンブリ１２１をはめ込むことのできる開口部１２７からなる。
【００８５】
光学アセンブリには１個又は複数のレンズ（図示していない）を有するアイピース１２８からなり偏光器とともに拡大画像を生成できる。
【００８６】
光源１２２は観察対象域を２つの強度あるいは例えば２種類の光照射タイプすなわち一方は疑似日光、他方は白熱電球などで光照射できるセレクター１２６を有する。
【００８７】
一般にエンドピース１２３は円錐台形であり光学アセンブリ１２１の観察野より大きい直径の底面（基部）１２９を有する。
【００８８】
図示例では底面１２９の直径は約４０ｍｍであり、観察野の直径は約３０ｍｍである。このため観察野内の領域の画面状態に影響を与えるエンドピース１２３と皮膚との間の接触圧を回避できる。
【００８９】
エンドピース１２３と光源１２２との間で磁気による固定を行うことも可能である。例えば、エンドピース１２３は磁化金属リングを備え得る。
【００９０】
皮膚と接触する端部にはエンドピース１２３に脱着可能なリングを付けてもよい。
【００９１】
図１６に示すように、光源１２２はそれぞれが光学アセンブリ１２１の軸とほぼ平行の軸に存在する複数の発光ダイオード１３０を有する。発光ダイオード１３０は偏光器１３１によって被覆されている。
【００９２】
エンドピース１２３の高さは、観察野内の皮膚領域の照度がほぼ均一になるように選択される。
【００９３】
観察装置１２０は次のように使用する。
【００９４】
エンドピース１２３と光学アセンブリ１２１を光源１２２に装着する。その後使用者は光学アセンブリ１２１を光源に付けたまま回転させ光学アセンブリ１２１に内蔵された偏光器が偏光器１３１と同じ偏光方向になるかそれとほぼ垂直な方向になるようにする。
【００９５】
これにより連続的に輝度を付与したり除去したりして皮膚を観察できる。
【００９６】
別の実施の形態では図９を使って上述した例と同様に光学アセンブリ１２１は互いに垂直に配置された２つの並置偏光器を有する。
【００９７】
図１７に示すように装置１２０は刻み付きノブ１３３を有してもよい。これにより使用者はハンドル１２４を把持する手で光学アセンブリ１２１を同時に回転させることができる。
【００９８】
光学機器例えば上記の装置の一つを使って前記観察を特定光照射条件下で実施した画像は例えば様々なステップの各種身体類型特性、特に皮膚の輝度や色を示す画像あるいは様々なコントラストステップに対応する画像例などの複数の基準画像を有する図表の基準画像と比較しうる。
【００９９】
図１８は大幅に概略化した輝度図表であり皮膚の様々な輝度に対応しアルファベットの識別子６１で定量化した複数の基準画像６０を有している。
【０１００】
図１９は大幅に概略した明度又は色の差を示す対比図表である。これには上記ハーフディスク２４’と２５’によって形成されるタイプの偏光分析器を使うと観察しやすいコントラストの様々なステップ又は差に対応する複数の基準画像７０が含まれる。これらの画像７０はアルファベット識別子７１と関連づけられている。
【０１０１】
図２０は大幅に概略した皮膚乾燥度図表である。アルファベット識別子８１と関連づけられた多数の画像８０が掲載されている。画像８０は極端な乾燥肌の特徴である重度の落屑から正常な肌の落屑がない状態までの様々なステップの皮膚を表している。
【０１０２】
図２１に示すように、図表の基準画像は一般的な媒体に印刷したり多数の媒体を製本したりすることができる。
【０１０３】
図２２に示すように基準画像は各画像にアルファベットの識別子を付けてコンピュータ１１０のスクリーンに表示することもできる。
【０１０４】
図２３に示すように、評価結果はコンピュータ１１０からコンピュータネットワークを介して離れたサーバー１００に転送できる。サーバー１００はそれに転送された結果の関数としての診断を下すように配置でき、化粧品やケア製品を推奨することができるようになる。
【０１０５】
コンピュータのスクリーンに基準画像を表示する際に、これらの画像は使用者が対応するインターネットサイトに接続した後、サーバー１００によって転送できる。
【０１０６】
本発明は治療ステップが終わった後に評価を実施し連続的評価結果を比較することによって治療過程の有効性を追跡できるように実施できる。
【０１０７】
輝度、色、凹凸、透明度の情報を得るために単一の光学機器を使うことができそうした情報を定量化することができる図表を使うことにより特定個人のベクトル（各ベクトルは同一の光学機器を使って実施した観察結果からなる少なくとも２つの成分を有する）を合併して多ベクトルデータバンクを作製できるようになる。
【０１０８】
上記観察装置は皮膚を屈曲、伸張することが可能な用具と組み合わせて使うことができる。
【０１０９】
図２４及び図２５は皮膚を屈曲、伸張することが可能な用具１４０の例を示す。
【０１１０】
これらの図に見られる用具１４０は皮膚を圧迫し接続部で互いに接続し相対的に可動する２つの部材１４１と１４２を有している。
【０１１１】
図示例では部材１４１と１４２は一般にＵ字型であって図２５のように二部材が接触すると両者間に皮膚を観察するための窓１３７を形成する。この窓はＵ型の凹部によって形成される。
【０１１２】
部材１４１と１４２は様々な方法で接続できる。
【０１１３】
上述の例では接続部は平行な軸を持つ二本のロッド１４３と１４４からなる。
ロッド１４３は部材１４２の一端に固定され部材１４１のハウジングにスライドして入る。ロッド１４３の反対側の末端部はロッドの残余部分と接続する拡大した頭部をなしており溝１４６をなしている。またロッド１４３は第二溝１４７を有し部材１４１はスプリング１４９でロッド１４３を圧迫するように変位したボール１４８を有する。
【０１１４】
同じことがロッド１４４にもあてはまる。これは部材１４１に対して固定されており部材１４２のハウジングにスライドして入る。
【０１１５】
部材１４１と１４２の離隔位置においてはボール１４８が対応する溝１４６に嵌合し二つの部材１４１と１４２を離隔した場所に維持することができる。部材１４１と１４２が互いに向かって移動する際にはボール１４８はそれぞれ対応する溝１４７に嵌合する。
【０１１６】
こうして二つの部材が離隔したり接触したりする際には常に手応えが生じることになる。
【０１１７】
用具１４０は両面テープを部材１４１と１４２に貼付して皮膚に設置することができる。
【０１１８】
こうして上記観察装置の１個を使って二つの観察を実施できるようになる。１つは図２４のように部材が離隔している用具１４０を皮膚に設置した直後、皮膚が屈曲されていない時であり他方は図２５のように部材１４１と１４２が互いに向かって移動し皮膚が屈曲された後である。観察装置は用具１４０とともに機能するように構成できる。
【０１１９】
図２５に示すように用具１４０が皮膚上に置かれ部材１４１と１４２が接触状態にあるような皮膚が伸張されていない状態で観察を実施し、続いて図２４に示すように部材１４１と１４２を離隔した位置に移動させ皮膚を伸張状態にして観察することも可能である。
【０１２０】
図２５のような接触状態から図２４のような離隔状態に容易に移動させるためには図２６及び図２７のように例えば一本のロッドにかみ合わせたコイルスプリング１５０を有する少なくとも一つの弾性部分を伴う用具１４０を使うのが便利である。ロッド１４３と１４４はそれぞれスプリング１５０を付けて使用することができる。図２６のようにスプリング１５０の一端は皮膚に接触する部材に固定されたリング１５１を受け止め他端はロッドの肩部１５２を受け止めることができる。部材１４１と１４２が接触している時、スプリング１５０は圧迫状態にある。こうして各スプリングが圧迫されて用具は皮膚に設置できその後、部材１４１と１４２は元に戻ろうとするスプリング１５０により強制的に離隔することができる。
【０１２１】
ロッド１４３と１４４のうち少なくとも１つは部材１４１と１４２が離隔した時に見える目盛１５３を付けてもよい。こうして部材１４１と１４２の離隔距離を正確に測定することができる。
【０１２２】
図２８に示すように必然的に本発明を逸脱することなく別の方法で配置された少なくとも１個の弾性部、例えばロッド１４３と１４４のいずれかにはめ込んで圧縮されて機能し両端がハウジング１６１と１６２を端壁を受け止め前記ハウジングはＵ字型のリム内部に形成され部材１４１と１４２上で互いに向き合うコイルスバネ１６０を使うことができる。
【０１２３】
適当であれば図２８の装置は図２４及び図２５に示めす例のように溝１４６、１４７、ボール１４８を保持してもよい。
【０１２４】
必然的に本発明は上掲例に限定されない。光学機器の構造は変更でき例えば特に発光ダイオードを白熱電球や蛍光灯のような他の発光手段と交換することができる。透光による観察用にスクリーンを使う場合、スクリーンは光学機器に着脱可能に接続した独立部材で構成してもよい。
【図面の簡単な説明】
【０１２５】
【図１】本発明を実施する光学器具を大幅に概略した軸方向断面図。
【図２】光照射部分の配置を示す図１の矢線ＩＩから見た部分平面図。
【図３】グレージング光下で観察する構成の図１の装置を示す図。
【図４】透光を可能とする構成の図１の装置を示す図。
【図５】図１の装置の変形の概略軸方向断面図。
【図６】グレージング光を出す構成の図５の装置を示す図。
【図７】透光を可能とする構成の図５の装置を示す図。
【図８】図５〜図７の装置の偏光器の平面図。
【図９】図５〜図７の装置の分析偏光器ディスクを示しかつ発光体の配列を示しているの部分平面図。
【図１０】図５〜図７の装置の変形を示す図。
【図１１】本発明を実施する光学器具の別の例の部分概略断面図。
【図１２】図１１の部分平面図。
【図１３】グレージング光構成による図１１の装置を示す図。
【図１４】透光が可能な構成の図１１の装置を示す図。
【図１５】別の装置例の分解斜視図。
【図１６】図１５の矢線ＸＶＩから見た部分的な端面図。
【図１７】図１５の装置の一部分の変形を示す図。
【図１８】輝度図表を大幅に概略化して示す図。
【図１９】明暗図表を大幅に概略化して示す図。
【図２０】皮膚乾燥度図表を大幅に概略化して示す図。
【図２１】図表を相互に結合した画像集形態に実施できることを示す図。
【図２２】基準画像をスクリーンに表示することのできるコンピュータを示す線図。
【図２３】遠隔サーバーに接続され基準画像を表示するのに適したコンピュータを示す線図。
【図２４】皮膚圧迫部を有する皮膚屈曲用用具を示し、皮膚圧迫部が間隔をあけた状態にある概略平面図。皮膚圧迫部は間隔をあけた状態と閉じた状態の両方を示してある。
【図２５】皮膚圧迫部を有する皮膚屈曲用用具を示し、皮膚圧迫部が閉じた状態にある概略平面図。
【図２６】皮膚に装着する状態にある時の皮膚伸張用用具の部分断面図。
【図２７】皮膚を伸張する状態にある時の皮膚伸張用用具の部分断面図。
【図２８】図２４〜図２７に示す用具の変形の一部を示す図。
【符号の説明】
【０１２６】
１０；１０’；４０；１２０：観察装置
１３：ハウジング
１４：電池
１５；１５’：バネ
１７；１７’；１２２；１３０：発光素子（組込光源）
２０’、４１’；４４，４６；１２１：光学系
２３’；２４’；２５’；１３１：偏光器
２７；２７’；４８：スクリーン
３１：制御手段
３５：パネル
４２：スカート
４６：色フィルタ
６０；７０；８０；９０：基準画像
１００：サーバー
１１０：コンピュータ
１４０：皮膚を皺にするか伸ばすための用具
１４１，１４２：皮膚に当てるための２つの部分
【図１】
2007075637.tif 000003
【図２】
2007075637.tif 000004
【図３】
2007075637.tif 000005
【図４】
2007075637.tif 000006
【図５】
2007075637.tif 000007
【図６】
2007075637.tif 000008
【図７】
2007075637.tif 000009
【図８】
2007075637.tif 000010
【図９】
2007075637.tif 000011
【図１０】
2007075637.tif 000012
【図１１】
2007075637.tif 000013
【図１２】
2007075637.tif 000014
【図１３】
2007075637.tif 000015
【図１４】
2007075637.tif 000016
【図１５】
2007075637.tif 000017
【図１６】
2007075637.tif 000018
【図１７】
2007075637.tif 000019
【図１８】
2007075637.tif 000020
【図１９】
2007075637.tif 000021
【図２０】
2007075637.tif 000022
【図２１】
2007075637.tif 000023
【図２２】
2007075637.tif 000024
【図２３】
2007075637.tif 000025
【図２４】
2007075637.tif 000026
【図２５】
2007075637.tif 000027
【図２６】
2007075637.tif 000028
【図２７】
2007075637.tif 000029
【図２８】
2007075637.tif 000030